Podtech/llm-jp-corpus-v4-ja_patent huggingface dataset:
(57)【要約】【課題】    束ねた物を検束したり、袋の口を閉じたりするときに使用する輪ゴムを提供する。【解決手段】  輪ゴムの周囲にイボ状の突起を一個又は二個を設けた事を特徴とする、イボ付輪ゴム。【選択図】図２
0003123055.tif 000002
【実用新案登録請求の範囲】
【請求項１】
輪ゴムの周囲に一カ所又は相対して２個の根本がくびれたイボ状の突起を設けた輪ゴム。
【考案の詳細な説明】
【技術分野】
【０００１】  本考案は、物を結束したり小袋の口を締めて閉じたりするとき使用する輪ゴムに関するものである。
【背景技術】
【０００２】  従来、輪ゴムで丸めた紙を止めたり、束ねた小物を結束したり、又は小袋の口を閉じたりするのに断面が均一な輪ゴムを使用していた。
【考案の開始】
【考案が解決しょうとする課題】
【０００３】  そのために、次のような問題点があった。
（イ）長い物を束ねて中間を輪ゴムで止めるとき、輪ゴムを止めようとする物の末端から通さねばならず、又通したとしても最後に輪ゴムを締めて止めることが困難だった。
（ロ）物の端末や小袋の口を閉じた物を解くとき、輪ゴムが輪ゴムに食い込んでるので、止めた最後の部分が分かりづらかった。
本考案は以上の問題点を解決しようとするものである。
【課題を解決するための手段】
【０００４】均一な太さの輪ゴムの周囲に、一カ所又は略相対して二カ所に根本がくびれたイボ状の突起を設ける、以上を特徴とするイボ付輪ゴムである。
【考案の効果】
【０００５】物体の結束しようとする部分に、根本がくびれたイボ状輪ゴムを巻き付け、輪ゴムの最後の端末をイボ状のくびれた部分に引っ掛ければよく、解くときも引っかけた末端が解りやすく簡単に解く事が出来る、又小袋などの口を閉じた時輪ゴムの最後の部分をイボ状突起で終わらせておけばよく、解くときそのイボ状突起を摘んで簡単に解くことが出来る。
【考案を実施するための最良の形態】
【０００６】以下、本考案の実施の形態を説明する。
（イ）長い物の中間を結束するときは輪ゴム（１）をその中間に巻き付け最後にイボ状突起（２）のくびれ部（３）に巻き付け絡ませればよい。
（ロ）袋の口などを結束する場合は輪ゴムで袋の口を巻いた後、輪ゴムの最後の部分をイボ状突起にしておけばよい。
【実施例】
【０００７】  図３，図４に示すように長い小物を結束しようとする物の中間に輪ゴム（１）を巻き付け最後にイボ状突起（２）のくびれ部（３）に巻き付け絡ませれば良い、解くときは巻き付け絡ませた部分が分かり易いので解き安い。
又図５のように小袋の口に輪ゴム（１）を巻き付けた最後の部分をイボ状突起（２）にして終わらせておくと、解くときイボ状突起（２）を摘んで簡単に解ける。
【図面の簡単な説明】
【０００８】
【図１】本考案の根本がくびれたイボ状突起が一個の斜視図
【図２】本考案の根本がくびれたイボ状突起が二個の斜視図
【図３】本考案の根本がくびれたイボ状突起が一個の実施例を示す斜視図
【図４】本考案の根本がくびれたイボ状突起が二個の実施例を示す斜視図
【図５】本考案の根本がくびれたイボ状突起が一個の実施例を示す斜視図
【符号の説明】
【０００９】１  輪ゴム
２  イボ状突起
３  くびれ部
【図１】
0003123055.tif 000003
【図２】
0003123055.tif 000004
【図３】
0003123055.tif 000005
【図４】
0003123055.tif 000006
【図５】
0003123055.tif 000007
(57)【要約】【課題】使い捨てカイロを手袋の外側に置き、手の甲や指につつみ込むようにした装着ホルダーを提供する。【解決手段】手の甲や指の方向線上に手の長さを調整させるための１主幹バンドに５支幹バンド有孔部、６支幹バンド調節有孔部、７支幹バンド有孔部、手の幅や厚みを調整するためにその有孔部に対応し周回させた２支幹バンド下、３支幹バンド中、４支幹バンド上を設けた構成。【選択図】図１
0003123053.tif 000002
【実用新案登録請求の範囲】
【請求項１】
使い捨てカイロを装着するために手の甲や指の大小に合わせることのできる装着ホルダーにおいて、板状と丸状のゴムバンドを組み合わせた装着ホルダー。
【請求項２】
板状ゴムバンド上にあらかじめ縫製されている有孔を使い、止め具で丸状ゴムバンドを調節できるようにした請求項１の装着ホルダー。
【考案の詳細な説明】
【背景技術】
【０００１】従来は、使い捨てカイロを手袋の内側に付けたり、手の甲に使い捨てカイロの貼るあるいはカバー付きのベースを提供したものがあったが、指までの防寒を講じたものはなかった。
【考案の開示】
【考案が解決しようとする課題】
【０００２】そのため、やむなく長時間に及ぶに至ってはその寒さをこらえているところであった。本考案は、その点を改善しようと屋内外の活動に防寒効果の促進につながる装着ホルダーを提供することを目的とする。
【課題を解決するための手段】
【０００３】いま、その解決手段を図面に基づいて説明する。
（イ）図１の１主幹バンドの両端に５支幹バンド有孔部、７支幹バンド有孔部を設ける。
（ロ）１主幹バンドに６支幹バンド調節有孔部を縫い付けておく、
（ハ）３支幹バンド中を６支幹バンド調節有孔部の適所に通し８止め具で両端を止める。
（ニ）４支幹バンド上を７支幹バンド有孔部に通し９止め具で両端を止める。
（ホ）２支幹バンド下を５支幹バンド有孔部に通し１０止め具で両端を止める。
以上の構成からなる。
【考案の効果】
【０００４】（イ）手袋をつつみ込んでいるため取り付け、取りはずしが容易である。
（ロ）手の甲や指まで防寒が可能である。
（ハ）低音やけどを防ぐ。
本考案はこれらの効果をもたらすものである。
【考案を実施するための最良の形態】
【０００５】なお、本考案の実施にあたり次のことができる。
（イ）左右の手に兼用である。
（ロ）１主幹バンド、５支幹バンド有孔部、７支幹バンド有孔部、２支幹バンド下、１０止め具、４支幹バンド上と９止め具で左右の親指に対応することができる。
【実施例】
【０００６】本考案の実施例について説明すると、図４のとおりあらかじめ使い捨てカイロを手袋の外側の手の甲や指に置き、１主幹バンドに沿って２支幹バンド下、４支幹バンド上、３支幹バンド中の順に止め具を使い長さを調節して緩く締めておく、その状態で手袋をはめて再び同様の方法によってゴムバンドの伸縮性を利用し、締りぐあいを調節していき装着する。
【産業上の利用可能性】
【０００７】この考案は使い捨て力イロを手袋の外側に置き、手の甲や指をつつみ込み防寒効果を促進させる装着ホルダーに関するものである。
【図面の簡単な説明】
【０００８】
【図１】本考案の斜視図
【図２】本考案の正面図
【図３】本考案の背面図
【図４】本考案の使用状態を示す図
【図５】本考案の親指の斜視図
【符号の説明】
【０００９】１は主幹バンド
２は支幹バンド下
３は支幹バンド中
４は支幹バンド上
５は支幹バンド有孔部
６は支幹バンド調節有孔部
７は支幹バンド有孔部
８は止め具
９は止め具
１０は止め具
【図１】
0003123053.tif 000003
【図２】
0003123053.tif 000004
【図３】
0003123053.tif 000005
【図４】
0003123053.tif 000006
【図５】
0003123053.tif 000007
(57)【要約】【課題】主として鍋、釜、フライパン、ガス器具等の洗浄に用いる金属タワシの着脱を容易にし、直接手指が金属タワシの金属部に触れることなしに洗浄作業を行え、金属タワシの長期使用を可能にする。【解決手段】櫛歯状突起部２と内部突起物３を有した保持具１をコイルばね５の弾性力で、金属タワシ８を噛み込み固定し、手指を掴み部７に添えて洗浄作業を行う。【選択図】図１
0003123060.tif 000002
【実用新案登録請求の範囲】
【請求項１】
左右一対の保持具１の底部に複数の櫛歯状突起部２を設け、さらに複数の内側突起部３を設け、保持具上部に関節部４を設け、関節部４にはコイルばね５とピン６を有し、コイルばね５の弾性力により、左右の櫛歯状突起部２と内側突起部３が金属タワシ８に噛み込む構造とし、手指と金属タワシ８が直接接触しないように保持具１の上部に掴み部７を有し、掴み部７を内側に押すことにより、櫛歯状突起部２と内側突起部３を開閉させ、金属タワシ８の着脱を容易にした金属タワシ用保持具。
【考案の詳細な説明】
【技術分野】
【０００１】  本考案は、主として鍋、釜、フライパン、ガス器具等の洗浄に用いる金属タワシの保持具に関するものである。
【背景技術】
【０００２】  金属タワシは帯状の金属線をコイル状に巻いたものを、丸めながら球状体に成形したものであり、頑固な汚れを金属同士でこすり合わせて落とすのに使用される。金属タワシは掴み具合が柔らかいので、複数回使用すると初期の球状体が崩れて、断線したり扁平になったりして長期間の使用が出来なかった。また、直接手で金属タワシを掴んで洗浄した場合には、金属線の断線した端面で手指を傷つける恐れがあった。
【考案の開示】
【考案が解決しようとする課題】
【０００３】  金属タワシの断線や扁平等の変形を抑える為に、金属タワシの噛み込み位置を変更し、変形していない表面や未使用の表面を使用する事により、長期間の使用に耐えられるようにすることと、金属タワシの着脱を容易にすることを第１の目的とする。【０００４】  金属タワシの金属線の断線した端部で手指を怪我しないようにする為に、手指と金属タワシが直接接触するのを防止し、金属タワシを常に強く押し付けた状態でも安全に洗浄作業が出来ることを第２の目的とする。
【課題を解決するための手段】
【０００５】  上記第１の目的を達成する為に、金属タワシの上半分を左右一対の保持具で包み込みしっかりと固定する。保持具は常にコイルばねの弾性力で金属タワシを押し付けているので、金属タワシが簡単に外れる事は無いので、金属タワシの変形防止に効果的であり、長期使用が可能となる。金属タワシを着脱する際には掴み部を内側に押すことにより保持具を容易に開閉する事が出来る。【０００６】  上記第２の目的を達成する為に、左右一対の保持具の上部に掴み部を有しているので、手指と金属タワシが接触することは無く、安全に洗浄作業が出来る。
【考案の効果】
【０００７】  本考案の実施例により、次の効果が期待出来る。【０００８】  （１）保持具の上部に掴み部があるので、金属タワシと直接接触しないので手指を怪我すること無く安全に洗浄作業が出来る。【０００９】  （２）保持具の櫛歯状突起部と内側突起部で金属タワシをしっかりと保持するので、金属タワシの形崩れが防止出来る。【００１０】  （３）保持具には蝶番の開閉機構が付いているので、あらゆる形状の金属タワシにも対応出来る。【００１１】  （４）保持具には蝶番の開閉機構が付いているので、金属タワシの着脱が簡単に出来る。
【実施例】
【００１２】  本考案の材質は価格を考慮して合成樹脂で成形したものを使用するが、金属加工でも同様に作ることが出来る。【００１３】  金属タワシ８を取付ける方法は図４の様に一対の保持具１の掴み部７を内側に押すことにより、簡単に開くことが出来る。金属タワシ８を保持具１の内部に入れたら掴み部７を離すことにより、図３の様に櫛歯状突起部２と内側突起部３が金属タワシ８の内部に噛み込む。さらに、手指で一対の保持具１の左右を押すことにより、保持具１は確実に金属タワシ８を保持することが出来る。ここで、内側突起部３は金属タワシ８が内部で動くのを防止するために設けられている。【００１４】  金属タワシ８の装着後は、一対の保持具１の掴み部７に手を添えて洗浄作業を行うが、金属タワシ８と掴み部７は十分に離れているので、手指と金属タワシ８の金属線と接触する事は無いので、手を怪我することはなく、関節部４のコイルばね５の弾性力により、保持具１が金属タワシ８を常に保持しているので、洗浄中に金属タワシが脱落することは無い。【００１５】  洗浄回数が多くなると、金属タワシ８の金属部が断線したり形状が扁平になることがあるが、その場合には、一対の保持具１を開き、変形していない表面や未使用の表面を洗浄面に出すことにより、金属タワシ８の長期使用が出来るようになる。
【図面の簡単な説明】
【００１６】
【図１】本発明実施例の外観斜視図。
【図２】本発明実施例の内側斜視図。
【図３】本発明実施例の断面図。
【図４】本発明実施例の開いた時の断面図。
【図５】本発明実施例の上面図。
【図６】本発明実施例の側面図。
【符号の説明】
【００１７】１  保持具
２  櫛歯状突起部
３  内側突起部
４  関節部
５  コイルばね
６  ピン
７  掴み部
８  金属タワシ
【図１】
0003123060.tif 000003
【図２】
0003123060.tif 000004
【図３】
0003123060.tif 000005
【図４】
0003123060.tif 000006
【図５】
0003123060.tif 000007
【図６】
0003123060.tif 000008
(57)【要約】【課題】  装着時の違和感や窮屈感が無く、優れたむれ防止機能を有する男性局部カバーを提供することを目的とする。【解決手段】  男性局部カバー１に開口された局部導入用孔３および陰茎導出用孔４を有する球形袋体の布２を男性局部の付け根で係止して直接陰嚢Ｎを覆うことにより、男性用下着と別体に着用する。【選択図】図１
0003123058.tif 000002
【実用新案登録請求の範囲】
【請求項１】
男性の局部に男性用下着と別体に装着されるむれ防止局部カバーであって、局部カバーに開口された局部導入用孔および陰茎導出用孔を有する球形袋体の布で陰嚢を覆うことを特徴とする男性局部カバー。
【請求項２】
請求項１において、上記球形袋体の布にある陰茎導出用孔に、該孔と同径の中空円筒体の布を係着して有する男性局部カバー。
【請求項３】
請求項１ないし２のいずれかにおいて、上記球形袋体の布が、伸縮性の布からなる男性局部カバー。
【請求項４】
請求項１ないし３のいずれかにおいて、上記球形袋体の布にある局部導入用孔周縁にゴム部材が取付けられている男性局部カバー。
【考案の詳細な説明】
【技術分野】
【０００１】  本考案は、男性局部のむれ防止および局部各部位相互の直接接触を防ぐ男性局部カバーに関する。
【背景技術】
【０００２】  従来より、スポーツ時または発汗時などに陰茎および陰嚢が内股に直接接触することを防ぐむれ防止機能を備えた男性の局部に用いる衛生用具が各種提案されている。【０００３】  例えば、登録実用新案第３００２４４５号には男性の局部を覆うパットが提案されている。この男性局部パットは両端部に付着手段を設けて男性用下着に固着する男性局部パットで構成され、局部各部位相互の直接接触を防ぎ、むれが防止できるようになっている。
【考案の開示】
【考案が解決しようとする課題】
【０００４】  しかしながら、上記男性局部パットは両端部に付着手段を設けて男性用下着に固着され、男性用下着と別体となっていない。そのため、この男性局部パットは下着に付随するようになるので、激しいスポーツ時において男性局部との間に摩擦が生じ、使用者の着用時に十分な装着感を得難い問題がある。【０００５】  そこで、本考案は、以上のような問題を解決するためになされたものであって、男性局部カバーに開口された局部導入用孔および陰茎導出用孔を有する球形袋体の布を男性局部の付け根で係止して用いることにより、男性用下着とは別体に着用され、装着時に違和感や窮屈感が無く、優れたむれ防止機能を有する男性局部カバーを提供することを目的とする。
【課題を解決するための手段】
【０００６】  請求項１に記載の男性局部カバーは、男性の局部に男性用下着と別体に装着されるむれ防止局部カバーであって、男性局部カバーに開口された局部導入用孔および陰茎導出用孔を有する球形袋体の布で陰嚢を覆うことを特徴とする。【０００７】  請求項２に記載の男性局部カバーは、請求項１において、上記球形袋体の布にある陰茎導出用孔に、該孔と同径の中空円筒体の布を係着して有することを特徴とする。【０００８】  請求項３に記載の男性局部カバーは、上記球形袋体の布が、伸縮性の布からなることを特徴とする。具体例として、綿とポリエステルとの混紡布が挙げられる。この伸縮性により、異なる形状の局部にもぴったりと合い、装着感に優れ、また、綿の吸湿性とポリエステルの速乾性により、サラッとした感触が維持され、局部のむれ防止が得られる。【０００９】  請求項４に記載の男性局部カバーは、上記球形袋体の布にある局部導入用孔周縁にゴム部材が取付けられていることにより、局部からの脱落の恐れを防ぐことを特徴とする。
【考案の効果】
【００１０】  以上説明したように、本考案の男性局部カバーは男性用下着と別体に着用され、かつ男性局部に直接装着され、球形袋体の布が陰嚢を覆うことにより陰嚢および陰茎が内股に直接接触せず、よってむれや不快感を生じさせない。【００１１】  また、本考案の男性局部カバーをスポーツ時に装着した際、使用者の局部から脱落することなく適合し違和感がないため、スポーツに集中することができる。【００１２】  さらに、従来の男性局部パットと比較して体積が小さく、常時携帯することができるため、何時でも取替えが可能である点で利用価値が高い。
【考案を実施するための最良の形態】
【００１３】  以下本考案を示す図によって説明する。図１は、本考案の男性局部カバーの斜視図。図２は、本考案の男性局部カバーの陰茎導出用孔に、該孔と同径の中空円筒体の布を係着した斜視図。図３は、本考案の男性局部カバーの局部導入用孔周縁にゴム部材が取付けられている斜視図。図４は、男性局部カバーの着用状態を示す略図的縦断側面図。図５は、男性局部カバーの陰茎導出用孔に、該孔と同径の中空円筒体の布を係着して着用している状態を示す略図的縦断側面図である。【００１４】  上記構成の男性局部カバーを着用する要領について説明する。図４に示すように球形袋体の布２にある男性局部導入用孔３から陰茎導出用孔４へ陰茎Ｋを付け根まで挿し込み、該局部導入用孔３を広く開口し、球形袋体２を陰嚢Ｎに被せ、該局部導入用孔３を局部の付け根で係止して着用する。
図５は、球形袋体の布２にある陰茎導出用孔に該孔と同径の中空円筒体の布６を係着した男性局部カバーに、陰茎Ｋを挿入した着用状態を示す。【００１５】  また図３に示すように、球形袋体の布２にある男性局部導入用孔３の孔周縁にゴム部材５が取付けられ、男性局部カバーがゴム部材５の弾性により局部の付け根にしっかり係止され、より脱落の恐れを防ぐことができる。【００１６】  このような装着状態において、陰嚢Ｎは球形袋体の布２内に収められているため、陰嚢Ｎが使用者の内股などに直接接触することがなく、むれや不快感を生じさせない。【００１７】  また、陰茎Ｋも、球形袋体の布２と下着との間、あるいは図５に示すように中空円筒体の布６に挿入しているため、通常と同様支障なく排尿を行うことができる上に、陰茎Ｋが陰嚢Ｎや使用者の内股などに直接接触することがなく、むれや不快感を生じさせない。【００１８】  しかも、本考案カバーは、例えば綿とポリエステルとの混紡布よりなる伸縮性の布で構成されるため装着感に優れると共に、綿の吸湿性とポリエステルの速乾性によりサラッとした感触が維持されるため、極めて大きいむれ防止効果が得られる。
【図面の簡単な説明】
【００１９】
【図１】本考案の斜視図
【図２】中空円筒体の布を係着した本考案の斜視図
【図３】局部導入用孔周縁にゴム部材を取り付けた本考案の斜視図
【図４】本考案の使用状態を示す略図的縦断側面図
【図５】本考案の使用状態を示す中空円筒体の布を係着した略図的縦断側面図
【符号の説明】
【００２０】  １  男性局部カバー
２  球形袋体の布
３  局部導入用孔
４  陰茎導出用孔
５  周縁にゴム材
６  中空円筒体の布
Ｋ  陰茎
Ｎ  陰嚢
【図１】
0003123058.tif 000003
【図２】
0003123058.tif 000004
【図３】
0003123058.tif 000005
【図４】
0003123058.tif 000006
【図５】
0003123058.tif 000007
(57)【要約】【課題】  従来の船用釣り竿では、リールの手動、電動を問わず、特に中型リール、大型リールを取り付けての釣りの場合、リールの重量が釣り人の体力消耗につながる面が大きい。イカ釣りを代表するように、頻繁に行うシャクリ動作や誘い動作が釣果に繋がってくる釣りではこの事は顕著である。  この事からリールを釣り竿から外して釣りが出来ればこの課題を大きく改善できるのである。【解決の手段】  リールを釣り竿外に固定し、ミチイト（釣り糸）のみを連結して、竿もリールも操作が出来ればこの課題は解決する。この課題解決のため、釣り竿の手元近くに手前下部から先方向上部に向けて竿の中心部にミチイトを通す管を斜めに埋め込み「リールセット付きロッドキーパー」（現在実用新案登録請求中・整理番号Ｕ００００Ｈ１８−１）に取り付けたリールのミチイトを、又は、船縁などに取り付けたリールのミチイトをこの管の下部から上部へ通して竿先までミチイトガイド内を導けば、リールと竿は分離され、ミチイトのみで繋がった釣り竿操作が出来る「リール無し釣り竿」の開発をした。【選択図】図１
0003123027.tif 000002
【実用新案登録請求の範囲】
【請求項１】
釣り竿の元竿部分に、手元側下部面から先方向上部面に向けて竿の中心を斜めに貫いたミチイトガイド管を埋め込んだ釣り竿。
【考案の詳細な説明】
【技術の分野】
【０００１】  本考案は、船釣り用の釣り竿で、リールをロッドキーパー等に取り付けてミチイトのみを釣り竿に通して釣りの出来る船竿に関する。
【背景技術】
【０００２】  従来の船竿でリールを使用するものは全てが釣り竿にリールを固定するものであり、リールの重量が釣り竿に加わって重くなり、釣り人の疲労につながる。そして、電動リール使用に於いては、リールとバッテリーを繋ぐコードが釣りのテクニックを含めた釣り竿操作の邪魔になっている。
【考案の開示】
【考案が解決しょうとする課題】
【０００３】  従来のように、リールを取り付けた釣り竿では、重量のある様々な手動リールや電動リールを使用した場合、シャクリ操作や誘い操作を頻繁に繰り返す釣りにおいて釣り人の体力的疲労が大きくなる。従ってリールの無い釣り竿で従来同様の釣りが出来ればこの問題は軽減される。
【０００４】  本考案は、釣り竿外に取り付けたリールのミチイトを釣り竿に通す事により釣りの出来るシンプルで軽量な「リール無し船竿」を開発して、上述の課題を解決させようとするものである。
【課題を解決するための手段】
【０００５】  本考案は、釣り竿の手持ち付近にミチイトを、釣り竿の下部面から上部面へ通すための管を斜めに取り付け、この中を釣り竿外に取り付けたリールのミチイトを通すことによりリール無し釣り竿での釣りが出来るようにした。
【０００６】  リールを釣り竿外に取り付けて、釣り竿を操作し易くするためには、リールを釣り竿より下部方向にセットすることが最良であり、また、釣り竿の持つ弾力や強度を効果的に活用するにはミチイトが釣り竿の上面を通る事が重要となる。従って、下方向から伸びてくるミチイトを竿先まで導くための装置として元竿の手持ち付近に下部から上部へ斜めに貫く、図１の１，２，３，４から成るミチイトガイド管とガイドの仕組みを取り付けた。
【０００７】  釣り竿操作とリール操作を同時に行う時がある。そのためにはリールが容易に扱える必要がある。そのための最良の装置として、「リールセット付きロッドキーパー」現在実用新案登録申請中・整理番号Ｕ０００Ｈ１８−２）を開発した。
【０００８】  釣り竿をセットするロッドキーパーにリールセット装置を備えた別考案品「リールセット付きロッドキーパー」（現在実用新案登録請求中・整理番号Ｕ００００Ｈ１８−２）に本考案をセットする事でこの問題を容易に解決する事が出来る。、本考案の釣り竿の元竿の下部方向に取り付けられたリールより送り出されてくるミチイトが、図１の４から３へ、そして図１の５から６までのミチイトガイドを通り、仕掛けに繋がる
【０００９】  前述のように、現在実用新案登録請求中「リールセット付きロッドキーパー」にセットしての使用が最も効率的であるが、他の方法により船縁等にリールをセットして本考案を使用する事も可能である。
【００１０】  本考案の「リール無し釣り竿」には「ねじ込み式リールセット」図１の７の部分も取り付けてあり、従来のように釣り竿にリールを取り付けての釣りも出来るようになっている。
【考案の効果】
【００１１】  船釣りにおいて釣果を上げるには、釣り竿の操作が重要な要素である。本考案の「リール無し船竿」は軽量となるので、釣りのテクニックである誘いやシャクリ操作が容易になり、長時間の釣りに於いても身体的疲労度は従来のリール付き釣り竿より軽減される。
【００１２】  船釣りにおいて微妙なアタリ（魚信）を探るには、手持ち釣りが最高である。本考案はリール無しの軽量のため長時間の手持ち釣りにも適している。
【００１３】  本考案を使用中海中に落としてしまっても、リールが手元に固定されているので、リールを巻くことにより竿の回収が容易に出来る。
【本校案を実施するための最良の形態】
【００１４】  釣り竿のミチイトガイドは天上を向けて使用する事で竿全体の弾力効果を生み出す。本考案を実施するには、リールを「リールセット付きロッドキーパー」現在実用新案登録請求中・整理番号Ｕ００００ｈ８−２）にセットして使用するのが一番望ましい形態であるが、他の方法を取る場合は、リールのセット位置を本考案の保持位置より下部にすれば容易に使用できる。リール無し船竿の下部にセットされたリールからミチイトを引き出し、リール無し船竿のミチイトガイド管内を下部面から上部面に通し、更に竿上のミチイトガイド内を竿先まで順次通していき仕掛けを取り付ける。本考案での釣り実施中は、リールの位置が常に釣り竿よりも下方向に有ることが最良である。リール操作は、竿を保持していない方の手で容易に行える。また、リールがしっかり固定されているので安定した操作が出来る。
【図面の簡単な説明】
【００１５】
【図１】本考案の一部断面を表したリール無し船竿の全体図
【符号の説明】
【００１６】  １  ミチイト（釣り糸）を通す管（ミチイトガイド管）
２  ミチイトを滑りやすくするガイド
３  管の穴の上部
４  ミチイトを滑りやすくするガイド
５  ミチイトガイド
６  竿の先端のミチイトガイド
７  ねじこみ式リール取り付け部
８  握り部
９  握り部
１０  繋ぎ部
１１  先竿図面省略部分
【図１】
0003123027.tif 000003
(57)【要約】      （修正有）【課題】角型パイプ鋼の接合は製作上困難をきたすので、溝型鋼を使用して簡単に製作出来るようにした。【解決手段】角型パイプ鋼の接続端部に溝型鋼又は平鋼をコの字形に加工した物と角型パイプをそのが最先端になるように溶接し、連結用のボルト孔を形成し、ボルト接続することにより簡単に連結することが出来るようにした。これにより取り付けピース内にてボルト取り付けが出来るので、ボルトが外部に出ないし、突起物が無いのでテント等を張る場合に影響が無いし、同じ金具で各方面へ自由に接合が出来るようになる。【選択図】図２
0003123024.tif 000002
【実用新案登録請求の範囲】
【請求項１】
角型パイプ鋼材を使用して構造物を製作する際の接合部の製作で、角型パイプ鋼の接続端部に溝型鋼をコの字形に加工した物(図１、Ｂ部)と角型パイプ(図１  Ｃ部)をその(図１  Ａ面)が最先端になるように溶接し、連結用のボルト孔を形成し、ボルト接続することにより簡単に連結することが出来るようにしたことが特徴の角パイプ万能接手
【考案の詳細な説明】
【技術分野】
【０００１】
本考案は、角型パイプ鋼及びＨ型鋼の連結に関するものである。
【背景技術】
【０００２】
従来の連結方法は２〜３枚のプレートを加工してボルトで組み合わせをしていたので接合部にボルトによる出っ張りが生じていた。
【考案の開示】
【考案が解決しようとする課題】
【０００３】
解決しようとする問題点は、接合部にボルトによる出っ張りが無く  少数部品で簡単に取り付けることが出来るようにした事であります。
【課題を解決するための手段】
【０００４】
角型パイプ鋼の接続端部に溝型鋼又は平鋼をコの字形に加工した物  (図１、Ｂ部)と角型パイプ  (図１、Ｃ部)をその  (図１、Ａ面)が最先端になるように溶接し、連結用のボルト孔を形成し、ボルト接続することにより簡単に連結することが出来るようにした。
これにより取り付けピース内にてボルト取り付けが出来るので、ボルトが外部に出ないし、突起物が無いのでテント等を張る場合に影響が無いし、同じ金具で各方面へ自由に接合が出来るようになる。
【考案の効果】
【０００５】
本考案の万能接手は、角型パイプに溝形鋼で形成した部品を溶接することにより、取り付けピース内にてボルト取り付けが出来るので、ボルトが外部に出ないし、突起物が無いのでテント等を張る場合に影響が無い。
【実施例】
【０００６】
実施例は  (図３)の角型パイプによる車庫等の製作であります。
【図面の簡単な説明】
【０００７】
【図１】万能接手取り付けピースの製作説明図であります。
【図２】万能接手取り付け設計図の例であります。
【図３】万能接手取り付けによる実施方法を示した図であります。
【図１】
0003123024.tif 000003
【図２】
0003123024.tif 000004
【図３】
0003123024.tif 000005
【手続補正書】
【提出日】平成18年4月24日(2006.4.24)
【手続補正１】
【補正対象書類名】実用新案登録請求の範囲
【補正対象項目名】全文
【補正方法】変更
【補正の内容】
【実用新案登録請求の範囲】
【請求項１】
角型パイプと溝型鋼を接合してなる第１の角型パイプ接手と、前記の第１角型パイプ
接手と一対をなす第２の角型パイプ接手と、前記の第１の角型パイプ接手と
前記の第２の角型パイプ接手を連結する少なくとも２個以上からなることを
特徴とする角型パイプ万能接手。
【手続補正２】
【補正対象書類名】明細書
【補正対象項目名】０００６
【補正方法】変更
【補正の内容】
【０００６】
角型パイプ鋼材を使用して鋼造物を製作する際に図１に図示の溝型鋼をコの字に切断してウエブの面にボルト孔を形成する。コの字の溝型鋼先端部を角型パイプの接続端部（Ｃ部）と接合させ溶接する。角型パイプに接合させた溝型鋼のウエブ同士を当接しピース内にてボルトで連結する事が出来るようにした。又ピース内にてボルトを取り付けたことによりボルトや取り付け材が外部に突出せず突起物が無く外装材又内装材施工が容易となった。加えてピースの組み合わせにより各種の方向もとれる角型パイプ万能接手が提供可能になった。
(57)【要約】【課題】寝かせて保管する円筒形容器の転がりを押さえ、容器を整列安定させる。【解決手段】マットに定間隔の切り欠き溝を設け溝に容器円筒部を納める事により転がりを押さえ寝かせて保管する容器を整列安定させる。【選択図】図１
0003123030.tif 000002
【実用新案登録請求の範囲】
【請求項１】
マットに定間隔の切り欠き溝を設ける事により円筒形容器を寝かせて保管する際、この溝に容器円筒部を納めて転がりを押さえ、容器の整列安定を図るもの。
【請求項２】
請求項１  に加え切り欠き部分をマットに埋め戻し  必要に応じて切り欠き溝数を加減できるもの。
【考案の詳細な説明】
【技術分野】
【０００１】  マットに定間隔の切り欠き溝を設ける事により円筒形容器を寝かせて保管する際、この溝に容器円筒部を納めて転がりを押さえ、容器の整列安定を図るもの。
【背景技術】
【０００２】  冷蔵庫内において。ビールは振動を嫌うのでドアポケットは保存不適である
ワインも水平保管を常とする。これ等をそのまま棚に寝かせると容器は安定しない。
【考案の開示】
【考案が解決しようとする課題】
【０００３】  冷蔵庫棚に寝かせる円筒形容器の整列安定を図るものである
【課題を解決するための手段】
【０００４】  マットに定間隔の切り欠き溝を設け、円筒形容器を寝かせて保管する際この溝に容器円筒部を納めて  転がりを押さえ円筒形容器を整列安定させる。
【考案の効果】
【０００５】  容器が整然と安定し．また一定の円筒形容器は重ねて積むことも可能になるので収納能力も上る。またマットを弾性とすることにより余分な騒音も低減できる。
【考案を実施するための最良の形態】
【０００６】  以下本考案の実施の形態について説明する。
１  マット    ２  切り欠き溝
以上の構造で、これを使用する時は  棚に、切り欠き溝を設けたマットを敷き、切り欠き溝に容器の円筒部分を納め安定させる。
【図面の簡単な説明】
【０００７】
【図１】  本考案の模式図
【図２】  本考案の使用状態を示す模式図
【符号の説明】
【０００８】  １      マット
２      切り欠き溝
３      円筒形容器
【図１】
0003123030.tif 000003
【図２】
0003123030.tif 000004
【手続補正書】
【提出日】平成18年4月3日(2006.4.3)
【手続補正１】
【補正対象書類名】実用新案登録請求の範囲
【補正対象項目名】全文
【補正方法】変更
【補正の内容】
【実用新案登録請求の範囲】
【請求項１】
マットに定間隔の  切り欠き溝  を設ける事により円筒形容器を寝かせて保管する際、この溝に容器円筒部を納めて転がりを押さえ、容器の整列安定を図るマット。
【請求項２】
請求項１  に加え  切り欠き部分  をマットに埋め戻し切り欠き溝数を必要に応じて加減できるマット。
(57)【要約】【課題】海洋上での船釣りは、シャクリ釣りや誘い釣り動作が多く行われている。この釣りでは釣り竿とリールの重量が釣り人の体力消耗に大きく係わってくる。  この事から、釣り竿からりーるを外してロッドキーパーに固定し、同様の釣りが出来ればこの課題を大きく改善できるのである。【解決手段】  ロッドキーパー内部にリールを固定出来る装置を組み込み、ミチイトのみを釣り竿と連結させ、手持ち釣りの場合でも、釣り竿をロッドキーパーにセットした場合でも容易にリール操作が出来る「リールセット付きロッドキーパー」を開発した。  尚、本考案を使用する上で、最良のコンビ役として「リール無し船竿」現在実用新案登録申請中・整理番号Ｕ０００Ｈ１８−１を開発し、本考案とセットで上述課題の解決を図る。【選択図】図１
0003123026.tif 000002
【実用新案登録請求の範囲】
【請求項１】
船釣り用のロッドキーパー内部にリールを固定するアーム部分を備えたロッドキーパー。
【考案の詳細な説明】
【技術の分野】
【０００１】  本考案は、船釣り用のリールをロッドキーパー内に固定して、ミチイト（釣り糸）のみを釣り竿に送り込む事の出来るロッドキーパーに関する。
【背景技術】
【０００２】  従来のロッドキーパーは釣り竿のみをセットするものであり、ほとんどの釣り竿にリールが取り付けてあり、このリールの重量や形状等が釣り人の体力疲労度につながっている。
【考案の開示】
【考案が解決しようとする課題】
【０００３】  釣り竿とセットで使用するロッドキーパーにリールを取り付け、ミチイトのみを釣り竿に連結して釣りが出来れば、釣り人の身体的疲労度の軽減が図れる。【０００４】  リールをロッドキーパー内に固定して「リール無し船竿」（現在実用新案登録申請中・整理番号Ｕ０００Ｈ１８−１）とセットで使用する事により、リールの付いていないシンプルな釣り竿での船釣りが可能となる「リールセット付きロッドキーパー」を開発して、釣り人の体力疲労度の軽減を解決しようとするものである。
【課題を解決するための手段】
【０００５】  本考案とセットとなる「リール無し船竿」（現在実用新案登録申請中・整理番号Ｕ０００Ｈ１８−１）は、外部に取り付けたリールから伸びるミチイトが釣り竿の手元前で下面から上面に貫いたガイド管を通り竿先の先端ガイドまで送り出されていく仕組みとなっている。この「リール無し釣り竿」とコンビを組むためには、リールの固定位置は、セットされた竿の手元真下方向に有ることが望ましいため、ロッドキーパーの中央にリール固定用のアームを組み込んだ。【０００６】  リール固定用アームは、ロッドキーパーの前方の竿掛アームと手前の竿ロック部分の間に組み込んで、ここにリールを固定する事で「リール無し釣り竿」をロッドキーパーにセットした状態でも、釣り人が立ち上がって手持ち釣りをしている状態でも、常にリールが下方向に有り、リールと竿間のミチイトの流れがスムウズに行くようにして課題を解決している。
【考案の効果】
【０００７】  リールはロッドキーパーに固定されるため片手で操作が出来るうえに、安定している。【０００８】  リール無し船竿が使用出来るので、釣り実施中のリールの重量や、電動リールの電源コード等の障害が無くなり、釣りのテクニックである誘い釣りや、シャクリ釣りがしやすくなると共に、釣り人の体力疲労軽減につながる。【０００９】  釣り実施中、釣り竿を海中に落としてしまっても、リールがロッドキーパーに固定されているのでミチイトを巻き取ることにより容易に釣り竿を回収する事が出来る。
【考案を実施するための最良の形態】
【００１０】  以下、本考案の実施形態を添付図面図１に基づいて説明する。図１は６の部分を船縁の上面に船の内側から載せて７のロッドキーパー固定ネジで固定した状態であり、他の各部分もすべて組み立てた状態を示している。【００１１】  １はリールセット装置付きアームであり、２の差し込みキー部分を３の竿掛に差し込んで固定する。そして７のロッドキーパー固定ネジを強く締め付けていくと、５の底面部分が船縁上面に密着し、押し上げられる状態が生まれるのでより強く固定出来る。【００１２】  本考案は、「リール無し船竿」現在実用新案登録申請中・整理番号Ｕ０００Ｈ１８−１とセットで使用する事が−番望ましい形態である。手動リール、又は電動リールを１のリールセット装置付きのアーム部にミチイトが前方へ送り出される形で、ねじ込み式により取り付ける。リールは右ハンドルでも左ハンドルでも取り付けに支障はない。【００１３】  ミチイトを通した「リール無し船竿」を３の竿掛部に掛けて、８，９から成る竿の手元ロック部でセットする。手元ロック部は９のレバーを押し下げれば８の半円形内の部分に容易に竿の手元部分をはめ込むことが出来る。【００１４】  竿を本考案にセットした時はリールから伸びるミチイトが４のＵ字型溝内を通って釣り竿に繋がるようにする。４は錆びない材質で表面を摩擦抵抗の少ない加工を施したＵ字型ミチイトガイドである。【００１５】  本考案に「リール無し船竿」をセットした状態で釣り実施中に竿を上方向へ立てる場合は、１７のピンを支点に８の竿手元ロック部が竿をロックしたまま手前に回転する。【００１６】  竿を手持ちで釣りを行う場合に本考案の利点が一番発揮される。釣り竿にはミチイトのみが下方向のリールに連結してるだけであるので釣りのテクニックが行いやすくリール操作も片手で容易にできる。
【図面の簡単な説明】
【００１７】
【図１】  本考案の全体図
【図２】  本考案の主要部を折りたたんだ側面図
【図３】  竿の手元ロック部分図
【符号の説明】
【００１８】  １  リールをねじ込みしきに固定する装置の付いたアーム
２  １を３の竿掛アームに差し込むキーの部分
３  竿掛アーム
４  Ｕ次型ミチイトガイド
５  滑り止め部
６  滑り止め部
７  リールセット付きロッドキーパー固定ネジ
８  釣り竿手元部ロック装置
９  ロック装置レバー
１０  つる巻バネ
１１  つる巻バネの滑りを良くする管
１２  レバー支点ピン
１３  滑り止め部
１４  パーツ換え差し込み部分
１５  雌ネジ部分
１６  固定ネジ
１７  ピン
【図１】
0003123026.tif 000003
【図２】
0003123026.tif 000004
【図３】
0003123026.tif 000005
(57)【要約】【課題】ゴルフのプレイ時、クラブのヘッドカバー（ドライバー・パター等）を外した時の取り扱いについて、従来は、キャディに預けたり、地面に置いたりして、キャディの負担の増加、ヘッドカバーの紛失や汚れ及び、拾い上げる時の次打者との接触事故等不便かつ危険であった。【解決手段】差込式フック用ノズルに安全ピンを取り付けたヘッドカバー保持具により、ヘッドカバーを外した時も、簡単に後部ポケットに差込んでプレイでき、安全で迅速な進行により、快適なゴルフプレイが促進される。【選択図】図１
0003123037.tif 000002
【実用新案登録請求の範囲】
【請求項１】
差込式フック用ノズルに安全ピンを取り付けた、ゴルフクラブのヘッドカバー保持具
【考案の詳細な説明】
【技術分野】
【０００１】本考案は、ゴルフクラブのヘッドカバーに使用する保持具に関する。
【背景技術】
【０００２】従来ゴルフクラブの使用時、そのヘッドカバーを外した時、同伴者（キャディ）に持ってもらったり、地面に置いていた。
【考案の開示】
【考案が解決しようとする課題】
【０００３】しかしこれでは、不便なうえ、同伴者（キャディ）への負担、紛失、及び拾い上げる時、次打者との接触事故等の原因となっている。
【課題を解決する為の手段】
【０００４】そこで、差込式フック用ノズルに安全ピンを取り付けた、ヘッドカバー保持具を考案した（図１）。このヘッドカバー保持具によりクラブ使用時も、ヘッドカバーを後部ポケットに差込んで保持したままプレイができる。
【考案の効果】
【０００５】よって、本考案のヘッドカバー保持具により、
・地面からヘッドカバーを拾い上げる時に起こり易い、次打者との接触事故の防止。
・同伴者（キャディ）への負担の軽減。
・ヘッドカバーの紛失防止。
・ヘッドカバーの汚れ防止。
等、ヘッドカバー取り扱いの簡素化により、安全で迅速なゴルフプレイの進行が促進される。
【考案を実施する為の最良の形態】
【０００６】本考案に係るヘッドカバー保持具▲１０▼は、図１、図２に示すように差込式フック用ノズルを備えており、背面に取り付けられている安全ピンにより、ヘッドカバーと接合される。素材はプラスチックや金属で形成されることが望ましく、図２で示すようにノズルをポケットに差込み易く、かつ、落下しない程度のノズルの長さ▲Ａ▼と、開き角度▲Ｂ▼を要する。
【図面の簡単な説明】
【０００７】
【図１】本考案に係るヘッドカバー保持具を、使用した状態の図である。（ヘッドカバーに取り付けた状態▲ａ▼、ゴルフプレイ時の状態▲ｂ▼）
【図２】ヘッドカバー保持具の前面▲ア▼、背面の▲イ▼の図である。
【符号の説明】
【０００８】▲Ａ▼    フック用ノズルの長さ
▲Ｂ▼    フック用ノズルの開き角度
▲Ｃ▼    安全ピン
【図１】
0003123037.tif 000003
【図２】
0003123037.tif 000004
0003123037.tif 000005
【手続補正書】
【提出日】平成18年4月18日(2006.4.18)
【手続補正１】
【補正対象書類名】図面
【補正対象項目名】全図
【補正方法】変更
【補正の内容】
【図１】
0003123037.tif 000006
【図２】
0003123037.tif 000007
(57)【要約】      （修正有）【課題】室内で主に油絵を容易に装着して掲示する額縁を提供する。【解決手段】表面開口部の裏側に透明板５を設け、裏面に油絵が収納可能な収納箱３を設けた額縁１と、その収納箱の中に油絵の外形に合わせた内部に開口部を有する油絵保持のマット６を含んだものである。【選択図】図１
0003123040.tif 000002
【実用新案登録請求の範囲】
【請求項１】
表面開口部の裏側に透明板を設け、裏面に蓋付の収納箱を設けた額縁本体と、前記収納箱に収納できる、内部に開口部を有するマットから構成されることを特徴とする額縁。
【考案の詳細な説明】
【技術分野】
【０００１】  本考案は、室内で主に油絵を装着して、掲示する額縁に関するものである。
【背景技術】
【０００２】  従来、油絵用の額縁は、その中に収納される油絵外形に合った、額縁を使用するものである。また、油絵の交換をするには、額縁の裏面の留め金を外し、絵を交換後逆の手順で固定する。絵の交換を容易にする考案は、下記文献１〜４に開示されている。これらはそれぞれ、額縁の表面フレームを構成する一辺をヒンジ等で回転したり、一辺の側面に穴を開けて、そこから挿入して絵を交換するものである。
【文献１】
特開平１０−６６６３７号
【文献２】
実開平６−１７５５４号
【文献３】
実開平６−６８５６４号
【文献４】
実開平７−７５６１号
【考案の開示】
【考案が解決しようとする課題】
【０００３】  上記文献１〜４に開示されているものはすべて、額縁の表面枠の一辺を回転あるいは穴を開けて油絵を挿入して、交換をする構成になっているため、何度か絵の交換をするうちに他の三辺と表面段差が生じるようになったり、その部分のみ汚れて変色する恐れがある。また、それぞれ額縁の外形に合う絵しか装着できないため、外形の小さい絵の場合、小さい額縁を探す必要がある。さらに油絵を収納するための配慮がなされてないため永く飾っておくと絵の表面が変質することがあった。【０００４】  本考案は、このような従来の額縁が有していた種々の問題を解決しようとするものである。
【課題を解決するための手段】
【０００５】  本考案は、上記目的を達成するために、表面開口部の裏側に透明板を設け、裏面に蓋付の収納箱を設けた額縁本体と、前記収納箱に収納できる、内部に開口部を有するマットから構成する。
【考案の効果】
【０００６】  上記のように、本考案の収納箱付額縁は、額縁の裏面に取っ手付蓋を有する収納箱を設けているため、油絵の交換は蓋を開けて容易にできる。また、大きい額縁で小さい絵を装着する場合は、その油絵に合う開口部を有するマットを選び、そのマットに絵をセットして、そのまま収納箱に納めればよい。額縁表面開口部の裏面には透明版が設けてあり、収納箱に蓋が付いているため油絵の表面の画質の状態を一定に維持できる。
【考案を実施するための最良の形態】
【０００７】  額縁の表面開口部の裏側に透明板を設け、裏面に蓋付の収納箱を設ける。【０００８】  その収納箱に外形が収納できる大きさの、内部に装着する絵に相当する開口部を有するマットを収納する。
【実施例】
【０００９】  以下、添付図面１〜９に沿って本考案の額縁の実施例を説明する。本考案の額縁１は、額縁本体２とマット６から構成されている。額縁本体２は、図３、図５のように額縁枠の裏面に、収納箱３が設けられている。額縁１の正面図は図２のようになっている。収納箱３の上部には、収納箱３の上部の開口部を覆うように収納箱蓋４が、ヒンジ１３により開閉可能に設けられている。収納箱蓋４の上部には蓋取っ手１２が設けられている。図１、図４のように収納箱裏板上部中央には、油絵１０の出し入れを容易にするための切り欠き１１が設けられている。収納箱３および収納箱蓋４の材質は、木製でもよいし、樹脂製のものでもよい。【００１０】  図１のように、額縁本体２の表面開口部の裏側には、薄いアクリル等のプラスチック又は、ガラス等の透明板５が設けられている。【００１１】  図３のように、収納箱３の両端部分には、吊紐フック１４を設け、その間に吊紐１５を通して、壁等のヒートンに吊るす。【００１２】  収納箱３の中に油絵１０をセットし、収納するマット６は、図８、図９、のように、内部に開口部を有するマット本体７の一方側に、上向のコ字状にマット桟８が設けられており、油絵１０の両側面と、底面を保持する。【００１３】  マット本体７の外形は、収納箱３の内幅より小さく設定し、マット桟８の外枠は、収納する油絵１０の大きさにより適合する開口部を有するマット本体７を製作する。【００１４】  マット本体７、マット桟８の材質は、木、プラスチック又は、紙で製作する。マット本体の開口部の形状は、通常油絵１０の形状に合わせて、長方形であるが、多角形、円形、楕円形等好みの形状にすればよい。【００１５】  本考案は、上記のような構成からなるが、その使用法は次の通りである。額縁に飾る油絵１０の大きさが、収納箱３の内幅よりわずかに小さい場合は、図１のマット６は使用しないで、収納箱３の収納箱蓋４の蓋取っ手１２を持って、収納箱蓋４を開け、中に油絵１０を収納し、収納箱蓋４を閉じ、裏面の吊紐１５を使って壁等のヒートンに吊るか、スタンドを利用して机上に飾る。【００１５】  上記の場合、適合するマット本体７を製作して、使用することも可能である。また実施例として収納するものは、油絵を対象としているが、他の絵画、ポスター等でも適用できる。【００１６】  額縁に飾る油絵１０の大きさが、額縁表面の開口部に比較してかなり小さい場合は、図１のようにその油絵１０に適合するマット６の、マット本体７に設けられたマット桟８に油絵１０をセットしたものを、収納箱３の収納箱蓋４を開け、そのまま挿入し収納箱蓋４を閉じ、裏面の吊紐１５を使って壁等のヒートンに吊るか、スタンドを利用して机上に飾る。
【図面の簡単な説明】
【００１７】
【図１】本考案額縁収納箱平面図（蓋開時）
【図２】本考案額縁正面図
【図３】本考案額縁収納箱背面図（蓋閉時）
【図４】本考案額縁収納箱背面図（蓋開時）
【図５】本考案額縁収納箱側面図（蓋閉時）
【図６】本考案額縁収納箱側面図（蓋開時）
【図７】本考案額縁収納箱平面図（蓋開時）
【図８】マット正面図
【図９】マットＡ−Ａ断面矢視
【符号の説明】
【００１８】    １  本考案額縁
２  額縁本体
３  収納箱
４  収納箱蓋
５  透明板
６  マット
７  マット本体
８  マット桟
９  開口部
１０  油絵
１１  収納箱切欠き
１２  収納箱蓋取っ手
１３  ヒンジ
１４  吊紐フック
１５  吊紐
【図１】
0003123040.tif 000003
【図２】
0003123040.tif 000004
【図３】
0003123040.tif 000005
【図４】
0003123040.tif 000006
【図５】
0003123040.tif 000007
【図６】
0003123040.tif 000008
【図７】
0003123040.tif 000009
【図８】
0003123040.tif 000010
【図９】
0003123040.tif 000011
(57)【要約】      （修正有）【課題】作業時点で必要とされる紙の資料、ＣＤ・ＭＯ・ペン等の筆記用具の収納し必要な物の整理整頓・紛失を防止し、必要な物を捜す時間を短縮し作業の効率化をはかる。【解決手段】ファイル・クリアファイル・書類収納ケースに類似する収納ケースを接着・装着具でノートパソコンの上蓋上部に取り付けノートパソコンと一体化させる。（ケースの開口部はノートパソコン使用時上を向いていた方が使い勝手が良い。）ノートパソコンの下部に設置することも考えられなくもないが熱排出口を塞ぐと、ノートパソコンのヒートアップの原因にもなるのでパソコン上蓋上部に設置するのが適当と考えられる。【選択図】図１
0003123018.tif 000002
【実用新案登録請求の範囲】
【請求項１】
ノートパソコンの上蓋上部に接着・装着具を用いて取り付け書類や筆記具の収納ができるケース
【考案の詳細な説明】
【背景技術】
【０００１】従来ノートパソコン上蓋上部取り付け用の収納ケースは一切無かった。
【考案の開示】
【考案が解決しようとする課題】
【０００２】・作業時点で必要とされる紙の資料、ＣＤ・ＭＯ・ペン等の筆記用具の収納し必要な物の整理整頓・紛失を防止する。
・必要な物を捜す時間を短縮し作業の効率化をはかる
【課題を解決するための手段】
【０００３】ノートパソコンの上蓋上部に書類、ペン等の筆記具の収納を可能とする収納ケースを接着・装着具を用いて取り付ける。
【考案の効果】
【０００４】・ＣＤ・筆記具等の収納により整理整頓を可能とし物品の紛失を防止することができた。
・作業に必要な資料をスピーディーに取り出すことが出来ることで作業効率の向上をはかることができた。
【考案を実施するための最良の形態】
【０００５】ノートパソコン（１）上蓋上部に上蓋を閉じた状態で手前に開閉口がくる様に収納ケース（２）を設置。ノートパソコン（１）の、収納ケース（２）に入りやすい形状のケースが良い。
【実施例】
【０００６】ノートパソコン（１）上蓋上部に書類、ペン等の筆記具の収納を可能とする収納ケース（２）を接着・装着具（３）を用い取り付ける。収納ケース（２）の大きさはノートパソコン（１）の大きさ・使用者の用途等に応じて変わるため、大きさ・形状・デザイン等、様々なものが考えられる。
【産業上の利用可能性】
【０００７】ノートパソコン付属収納ケースとして商品化が可能である。
ノートパソコン使用者の高い需要が期待できる。
【図面の簡単な説明】
【０００８】
【図１】ノートパソコンを閉じた状態で収納ケースを上蓋上部に接着・装着した状態を示す図である
【図２】ノートパソコン上蓋上部に収納ケースを取り付けた状態でノートパソコンを開いた状態の図である
【符号の説明】
【０００９】１  ノートパソコン
２  収納ケース
３  ノートパソコンと収納ケースを一体化させるために用いる接着・装着具
【図１】
0003123018.tif 000003
【図２】
0003123018.tif 000004
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
ノートパソコン（１）の上蓋上面に取り付けるための収納ケース（２）に、収納ケース（２）とノートパソコン（１）の上蓋上面との間に設けられる収納ケース（２）を取り付けることを可能とする接着具（３）とを備えた、大きさ、形状、デザイン等を規定しない、書類、ペン等の筆記具の収納を可能とする構造、機能とを有する収納ケース。
【手続補正２】
【補正対象書類名】図面
【補正対象項目名】図３
【補正方法】追加
【補正の内容】
【図３】
0003123018.tif 000005
【手続補正３】
【補正対象書類名】明細書
【補正対象項目名】０００８
【補正方法】変更
【補正の内容】
【０００８】
【図１】ノートパソコンを閉じた状態で収納ケースを上蓋上部に接着・装着した状態を示す図である
【図２】ノートパソコン上蓋上部に収納ケースを取り付けた状態でノートパソコンを開いた状態の図である
【図３】ノートパソコンを閉じた状態で収納ケースを上蓋上部に接着・装着した状態を側面より見た図である。